(57)【要約】【課題】本発明は、植物体への与傷処理時に植物体の倒れや茎折れを防ぎつつ、確実かつ効率的に適切な傷を付けられる装置を提供することである【解決手段】植物体内に薬剤を取り込ませるための植物体用処理装置であって、この処理装置は、前記植物体の一部を挟む挟持手段と、当該植物体の挟んだ部分に傷を付ける与傷手段と、を備え、前記挟持手段は、前記植物体の一部を支える受け部をその先端部近傍に有する支持ハンドルと、前記受け部で支えた植物体の一部を押圧して挟持する押圧部をその先端部近傍に有する押圧アームと、前記支持ハンドルと前記押圧アームとを開閉自在に係合する係合部と、を具備する。本発明に係る植物体用処理装置は、押圧部によって、前記植物体を押圧すると同時にその部分に傷を付ける与傷手段を有してなる。【選択図】図２
2017093337.tif 000002
【特許請求の範囲】
【請求項１】
植物体内に薬剤を取り込ませるための植物体用処理装置であって、
この処理装置は、前記植物体の一部を挟む挟持手段と、当該植物体の挟んだ部分に傷を付ける与傷手段と、を備え、
前記挟持手段は、前記植物体の一部を支える受け部をその先端部近傍に有する支持ハンドルと、前記受け部で支えた植物体の一部を押圧して挟持する押圧部をその先端部近傍に有する押圧アームと、前記支持ハンドルと前記押圧アームとを開閉自在に係合する係合部と、を具備し、
前記押圧部には、前記植物体を押圧すると同時にその部分に傷を付ける与傷手段を有してなる、上記処理装置。
【請求項２】
前記与傷手段が針又はやすりを備える、請求項１に記載の処理装置。
【請求項３】
前記薬剤を前記植物体の受傷部近傍に送出して付着させる投与手段をさらに備える、請求項１又は２に記載の処理装置。
【請求項４】
前記投与手段は、前記薬剤の収容容器と、当該収容容器に連通し当該薬剤を前記植物体の受傷部近傍に送出するノズルと、当該薬剤の送出及びこの送出の停止をする開閉手段と、を備える、請求項３に記載の処理装置。
【請求項５】
前記ノズルが、前記押圧部又は前記受け部の近傍に配置されてなる、請求項４に記載の処理装置。
【請求項６】
前記押圧アームが、前記ノズルと、当該ノズルに連通しその上流が前記収容容器に連通する弾性部材からなる貯留管と、前記支持ハンドルと押圧アームとの開閉に連動して開閉する前記投与手段の開閉手段と、を内蔵しており、
前記貯留管は、当該貯留管の長さ方向の任意位置を前記開閉手段で径方向に押圧して閉状態にした場合には前記薬剤が前記ノズルから送出され、押圧を解除して開状態にした場合には前記薬剤が前記収容容器から前記貯留管に供給される給排機構を有していて、
前記支持ハンドルと押圧アームとを閉にする操作で前記植物体の一部を押圧する操作と前記植物体の受傷近傍に前記薬剤を送出する操作とを同時に行う、請求項３〜５のいずれかに記載の処理装置。
【請求項７】
請求項１又は２に記載の処理装置を用いて前記植物体に傷を付けた後、当該植物体の受傷部近傍に薬剤を投与する、植物体の処理方法。
【請求項８】
予め前記植物体の予定受傷部位近傍に前記薬剤を投与した後、請求項１又は２に記載の処理装置を用いて当該植物体に傷を付ける、植物体の処理方法。
【請求項９】
請求項３〜６のいずれかに記載の処理装置を用いて前記植物体に傷を付けると同時に、当該植物体の受傷部近傍に前記薬剤を投与する、植物体の処理方法。
【発明の詳細な説明】
【技術分野】
【０００１】
本発明は、植物体に傷を与えて植物体内に薬剤を取り込ませるための装置および方法に関する。特に本発明は、植物病原体による植物病の防除などに用いられる農薬、植物ウイルス（ワクチン）など、種々の薬剤を植物体内に取り込ませるための植物体用処理装置及びそれを用いる方法に関する。
【背景技術】
【０００２】
一般に植物体が植物病（特に植物ウイルス病、例えば、タバコモザイック病、トマトモザイック病、キューリモザイック病など）に罹ると、その被害は甚大となる。このような植物病の防除法の一つとして、植物に予め弱毒ウイルスを接種しておいて植物にウイルス抵抗性を付与する方法が知られている。この弱毒ウイルスによる防除法は、防除効果が高く、経済的で、環境汚染の心配もないことから、非常に有効である。
【０００３】
しかしながら、この方法においては、植物ウイルスを植物体に接種する場合、植物ウイルスの懸濁液を単に植物体の表面に塗布したり、散布したりして投与するのみでは感染せず、植物体に適度の傷を与える等の処理を施して植物体内にウイルスを侵入させることにより初めて感染することになる。一般に植物体と外界との境界は、比較的強固な表面によって隔てられているため、植物体内部に薬剤を取り込ませるには、植物体内に薬物を取り込ませることを促進させる手段が必要となる。
【０００４】
このことから、植物ウイルスの植物体への接種、感染方法としては、先ず、例えば、植物ウイルスの懸濁液を綿棒、ガラス棒などを用いて擦りつけたり、あるいは植物体を研磨剤又は摩擦剤などで人為的に傷を与えた後にその部分に植物ウイルスの懸濁液を接種したりする方法などが挙げられる。しかしながら、これらの方法は、多大な労力と時間を要するものであった。
【０００５】
このような方法に代わって、いくつかの技術が提案されている。例えば、特許文献１には、研磨剤を懸濁させた植物ウイルス懸濁液を、スプレーガンにより一定圧力で噴霧して、被験植物体を被傷させると共に植物ウイルスの接種を同時に行う方法が提案されている。しかしながら、この方法は、能率的であるが、高価な植物ウイルスを多量に必要とすることから、経済的でないという不利がある。また、特許文献２には、植物体の表面に植物ウイルスと研磨剤を介在させて、ローラーを圧接回転させ、当該植物体を被傷させると共に当該植物ウイルスの接種を行う方法が記載されている。しかしながら、この方法は、ローラーの圧接によって植物体が倒れて傷ついたり、茎が折れたり、また、被傷させてない植物体がある等の問題がある。
【先行技術文献】
【特許文献】
【０００６】
【特許文献１】特公昭５２−１２７９５号公報
【特許文献２】特許第２９０８５９４号公報
【発明の概要】
【発明が解決しようとする課題】
【０００７】
このような状況に鑑み、本発明は、植物体への与傷の処理時に植物体の倒れや茎折れを防ぎつつ、確実に適切な傷を付け、しかも、従来の人手の処理に要する労力と時間をより減少させると共に、植物ウイルス等の薬剤の使用量をも減少させることができる植物体用処理装置を提供することである。
【課題を解決するための手段】
【０００８】
上記の技術課題について鋭意検討した結果、植物体の一部を挟持しつつ与傷することによって、簡便かつ迅速に植物体に傷を付けて植物体内に薬剤を取り込ませやすくすることができた。具体的には、本発明は、下記の態様を包含するものである。
（１）  植物体内に薬剤を取り込ませるための植物体用処理装置であって、この処理装置は、前記植物体の一部を挟む挟持手段と、当該植物体の挟んだ部分に傷を付ける与傷手段と、を備え、前記挟持手段は、前記植物体の一部を支える受け部をその先端部近傍に有する支持ハンドルと、前記受け部で支えた植物体の一部を押圧して挟持する押圧部をその先端部近傍に有する押圧アームと、前記支持ハンドルと前記押圧アームとを開閉自在に係合する係合部と、を具備し、前記押圧部には、前記植物体を押圧すると同時にその部分に傷を付ける与傷手段を有してなる、上記処理装置。
（２）  前記与傷手段が針又はやすりを備える、（１）に記載の処理装置。
（３）  前記薬剤を前記植物体の受傷部近傍に送出して付着させる投与手段をさらに備える、（１）又は（２）に記載の処理装置。
（４）  前記投与手段は、前記薬剤の収容容器と、当該収容容器に連通し当該薬剤を前記植物体の受傷部近傍に送出するノズルと、当該薬剤の送出及びこの送出の停止をする開閉手段と、を備える、（３）に記載の処理装置。
（５）  前記ノズルが、前記押圧部又は前記受け部の近傍に配置されてなる、（４）に記載の処理装置。
（６）  前記押圧アームが、前記ノズルと、当該ノズルに連通しその上流が前記収容容器に連通する弾性部材からなる貯留管と、前記支持ハンドルと押圧アームとの開閉に連動して開閉する前記投与手段の開閉手段と、を内蔵しており、前記貯留管は、当該貯留管の長さ方向の任意位置を前記開閉手段で径方向に押圧して閉状態にした場合には前記薬剤が前記ノズルから送出され、押圧を解除して開状態にした場合には前記薬剤が前記収容容器から前記貯留管に供給される給排機構を有していて、前記支持ハンドルと押圧アームとを閉にする操作で前記植物体の一部を押圧する操作と前記植物体の受傷部近傍に前記薬剤を送出する操作とを同時に行う、（３）〜（５）のいずれかに記載の処理装置。
（７）  （１）又は（２）に記載の処理装置を用いて前記植物体に傷を付けた後、当該植物体の受傷部近傍に薬剤を投与する、植物体の処理方法。
（８）  予め前記植物体の予定受傷部位近傍に前記薬剤を投与した後、（１）又は（２）に記載の処理装置を用いて当該植物体に傷を付ける、植物体の処理方法。
（９）  （３）〜（６）のいずれかに記載の処理装置を用いて前記植物体に傷を付けると同時に、当該植物体の受傷部近傍に前記薬剤を投与する、植物体の処理方法。
【発明の効果】
【０００９】
本発明によれば、簡便かつ迅速に、植物体に確実に傷を付けて植物体内に薬剤を取り込ませやすくすることができる。特に本発明は、植物体への与傷の処理時に植物体の倒れや茎折れを防ぎつつ、確実に適切な傷を付けることができる。本発明によれば、従来の方法と比較して、植物体の処理に要する労力と時間をより減少させることができ、しかも、植物体に効率的に薬剤を取り込ませることができるため植物ウイルスなどの薬剤の使用量を減少させることができる。特に本発明の処理装置は携帯型にすることもでき、また、片手での操作も可能であるので、植物体に容易に接近でき、植物体が密集しているような環境においても、植物体を容易に処理することができる。
【図面の簡単な説明】
【００１０】
【図１】図１は、本発明の処理装置の一実施形態を示す図である。図１Ａは処理装置の上面図、図１Ｂは処理装置の側面図、図１Ｃは処理装置の底面図、図１Ｄは処理装置の後面図である。
【図２】図２は、図１に示す処理装置の斜視図である。
【図３】図３は、図１に示す処理装置を、図２とは上下を反転させ、異なる方向から見た場合の斜視図である。
【図４】図４は、本発明の処理装置の他の実施形態における側面図である。
【図５】図５は、図４に示す処理装置の斜視図である。
【図６】図６は、図４に示す処理装置を、図５とは異なる方向から見た場合の斜視図である。
【発明を実施するための形態】
【００１１】
本発明は、植物体に傷を与えて植物体内に薬剤を取り込ませるための植物体用処理装置に関する。本発明の処理装置は、携帯式の装置とすることができ、また、手動あるいは自動で機能するように構成させてもよい。
【００１２】
本発明の処理装置は、植物体を処理するためのものであり、植物体の一部に傷を付けることにより、植物ウイルス等の投与する薬剤の効果が発揮されるような植物であれば特に制限なく種々の植物の処理に用いることができる。処理対象の植物としては、例えば、野菜などの農作物用植物、花や観葉植物などの観賞用植物、果樹、果樹以外の樹などを挙げることができ、これらの植物は、遺伝子組み換え植物であってもそうでなくてもよい
農作物用の植物としては、例えば、トウモロコシ、イネ、コムギ、オオムギ、ライムギ、エンバク、ソルガム、ワタ、ダイズ、ピーナッツ、ソバ、テンサイ、ナタネ、ヒマワリ、サトウキビ、タバコ、ナス科野菜（ナス、トマト、ピーマン、トウガラシ、ジャガイモ等）、ウリ科野菜（キュウリ、カボチャ、ズッキーニ、スイカ、メロン、スカッシュ等）、アブラナ科野菜（ダイコン、カブ、セイヨウワサビ、コールラビ、ハクサイ、キャベツ、カラシナ、ブロッコリー、カリフラワー等）、キク科野菜（ゴボウ、シュンギク、アーティチョーク、レタス等）、ユリ科野菜（ネギ、タマネギ、ニンニク、アスパラガス等）、セリ科野菜（ニンジン、パセリ、セロリ、アメリカボウフウ等）、アカザ科野菜（ホウレンソウ、フダンソウ等）、シソ科野菜（シソ、ミント、バジル等）、イチゴ、サツマイモ、ヤマノイモ、サトイモなどが挙げられる。花や観葉植物などの観賞用植物としては、例えば、菊、紫陽花等が挙げられる。また、果樹としては、例えば、仁果類（リンゴ、セイヨウナシ、ニホンナシ、カリン、マルメロ等）、核果類（モモ、スモモ、ネクタリン、ウメ、オウトウ、アンズ、プルーン等）、カンキツ類（ウンシュウミカン、オレンジ、レモン、ライム、グレープフルーツ等）、堅果類（クリ、クルミ、ハシバミ、アーモンド、ピスタチオ、カシューナッツ、マカダミアナッツ等）、液果類（ブルーベリー、クランベリー、ブラックベリー、ラズベリー等）、ブドウ、カキ、オリーブ、ビワ、バナナ、コーヒー、ナツメヤシ、ココヤシなどが挙げられ、果樹以外の樹としては、例えば、茶（チャ）、クワ、花木、街路樹（トネリコ、カバノキ、ハナミズキ、ユーカリ、イチョウ、ライラック、カエデ、カシ、ポプラ、ハナズオウ、フウ、プラタナス、ケヤキ、クロベ、モミノキ、ツガ、ネズ、マツ、トウヒ、イチイ）などが挙げられる。
【００１３】
本発明の処理装置によれば、植物体内に薬剤を取り込ませやすくすることができるが、適用する薬剤としては、特に植物ウイルス（ワクチン）が好適である。勿論これに限定することなく、植物体の一部に傷を付けることにより、投与する薬剤の効果がより発揮されるようなもの、例えば、農薬、ウイルス以外の有用微生物、その他の有効成分等も薬剤として適用することができる。
【００１４】
植物病の病原体は、糸状菌、細菌及びウイルスでその大部分を占めており、そして、植物の病気の約８割は糸状菌が原因とされている。中でもウイルス病はその防除が非常に困難であるが、本発明の処理装置はこのウイルス病の防除に適用される薬剤の植物ウイルス（ワクチン）を投与する際に特に好適に用いられる。
【００１５】
本発明に係る薬剤によって防除することができる植物病としては、例えば、イネやムギなどの穀物に関する植物病、カンキツ類、リンゴ、ナシ、モモ、カキなどの果樹に関する植物病、テンサイ、ウリ類、トマト、ナス、アブラナ科野菜、ネギ、ダイズ、インゲン、エンドウやラッカセイなどの豆類、ジャガイモ、イチゴなどの野菜や果物に関する植物病、バラやキクなどの観賞用植物の植物病、チャなど、その他種々の植物の病害などが挙げられる。具体的な植物病としては、これに限定されるものではないが、例えば、いもち病、ごま葉枯病、紋枯病、馬鹿苗病、うどんこ病、赤かび病、さび病、雪腐病、裸黒穂病、なまぐさ黒穂病、眼紋病、雲形病、葉枯病、ふ枯病、網斑病、黒点病、そうか病、モニリア病、腐らん病、（斑点）落葉病、黒星病、炭そ病、黒斑病、赤星病、灰星病、フォモプシス腐敗病、黒とう病、晩腐病、ブラックロット病、つる枯病、つる割病、輪紋病、葉かび病、褐紋病、白斑病、紫斑病、黒渋病、褐斑病、白絹病、夏疫病、粉状そうか病、網もち病、白星病、輪斑病、葉腐病、根腐病、黒根病、白さび病、灰色かび病、菌核病、ダラースポット病、ブラウンパッチ病及びラージパッチ病、イエローシガトカ病、ブラックシガトカなどが挙げられる。
【００１６】
また、本発明の処理装置によって処理する植物の大きさに制限はない。また、植物体に傷を付ける処理の時期や植物ウイルス等の薬剤の投与（接種）の時期についても特に制限はなく、植物体の生育中の適宜の時期でよいが、作業効率、防除の目的・効果、均一な処理、使用薬剤の少量化等を考慮すると幼苗の時期が好ましい。そして、植物体の処理部位についても特に制限はないが、葉、茎等が好適であり、このことから、薬剤は葉、茎等の表皮に投与することになる。
【００１７】
なお、薬剤の投与量は適宜の量でよく、特に制限されないが、植物ウイルスの場合は少量でその効果は発揮される。
【００１８】
用いる植物ウイルス（ワクチン）の種類は防除するウイルス病によって適宜選択すればよく、特に限定されない。植物ウイルス以外では、後記のごとく、有用微生物となる糸状菌類や細菌類なども効果的に利用できる。
【００１９】
本発明の薬剤として植物ウイルスを用いる場合は、予め植物に与えることで植物ウイルスによる被害を回避するための弱毒株（弱毒ウイルス）を用いてもよいし、対象植物ウイルスに対する植物の抵抗性の強弱の判定を行うための強毒株を用いてもよい。
【００２０】
また、植物ウイルスの具体例としては、例えば、アルファモウイルス属（アルファルファモザイクウイルス）、バイモウイルス属（イネえそモザイクウイルス）、カルラウイルス属（カーネーション潜在ウイルス、キクＢウイルス、インパチェンス潜在ウイルス）、カルモウイルス属（メロンえそ斑点ウイルス、エンドウ茎えそウイルス）、カリモウイルス属（カリフラワーモザイクウイルス、ペチュニア葉脈透化ウイルス、ダイズ退緑斑紋ウイルス）、コモウイルス属（スカッシュモザイクウイルス）、ククモウイルス属（キュウリモザイクウイルス、キク微斑ウイルス）、ファバウイルス属（ソラマメウイルトウイルス）、フロウイルス属（ソラマメえそモザイクウイルス）、イラルウイルス属（プルヌスネクロティックリングスポットウイルス、タバコ条斑ウイルス）、ネクロウイルス属（トルコギキョウえそウイルス、タバコネクロシスウイルス）、ネポウイルス属（アラビスモザイクウイルス、タバコ輪点ウイルス、トマト黒色輪点ウイルス、トマト輪点ウイルス）、ポテックスウイルス属（ジャガイモＸウイルス）、ポティウイルス属（サツマイモ縮葉モザイクウイルス、インゲンマメモザイクウイルス、インゲンマメ黄斑モザイクウイルス、カーネーションベインモットルウイルス、セルリーモザイクウイルス、クローバー葉脈黄化ウイルス、レタスモザイクウイルス、ネギ萎縮ウイルス、パパイア輪点ウイルス、シソ斑紋ウイルス、ジャガイモＹウイルス、ダイズモザイクウイルス、サツマイモ斑紋モザイクウイルス、タバコ脈緑モザイクウイルス、カブモザイクウイルス、カボチャモザイクウイルス、シバモザイクウイルス、ズッキーニ黄斑モザイクウイルス）、ライモウイルス属（ライグラスモザイクウイルス）、ソベモウイルス属（インゲンマメ南部モザイクウイルス、アカザモザイクウイルス）、トバモウイルス属（タバコモザイクウイルス、キュウリ緑斑モザイクウイルス、スイカ緑班モザイクウイルス、ペッパーマイルドモットルウイルス、トマトモザイクウイルス）、トブラウイルス属（タバコ茎えそウイルス）、トンブスウイルス属（トマトブッシースタントウイルス）、トスポウイルス属（トマト黄化えそウイルス、メロン黄化えそウイルス、スイカ灰白色斑紋ウイルス、インパチェンスネクロティックスポットウイルス、アイリスイエロースポットウイルス）などが挙げられる。
【００２１】
薬剤として有効な微生物の具体例としては、植物病害に拮抗的に働くトリコデルマ（Trichoderma ）属、グリオクラジューム（Gliocladium ）属、ペニシリウム（Penicillium ）属、タラロマイセス（Talaromyces ）属等の糸状菌類や、シュードモナス（Pseudomonas ）属、バチルス（Bacillus）属、エンテロバクター（Enterobacter）属、パントエア（Pantoea ）属、レクレルシア（Leclercia ）属、セラチア（Serratia）属等の細菌類などを挙げることができる。その他、薬剤として有効な物質としては、全身獲得抵抗性誘導物質や農薬、植物ホルモン、肥料などの栄養剤などが挙げられる。全身獲得抵抗性誘導物質は、予め植物体に処理しておくことで、その後の病原菌の感染に対して全身的な抵抗性を高める効果がある物質で、具体的には、アミノ酪酸、含硫アミノ酸、ケイ素、オリゴサッカライド、リン酸、脂肪酸、フェノール化合物、エリスリトール、ステビオール、サッカリン、ジャスモン酸などが挙げられる。
【００２２】
なお、本発明の薬剤の投与手段をさらに備える処理装置を用いる場合には、薬剤の形態は、作業能率や植物ウイルス等の薬剤の感染率等を考慮すると、液状とするのが好ましい。
【００２３】
また、後述するごとく、本発明の処理装置を用いて植物体に傷を付ける前又は後に植物体に薬剤を投与する場合には、薬剤の形態は液状の外、例えば、スラリー状、ゲル状、又は粉末状（粉状物）などの流動性を有する形態であると好ましいが、薬剤の形態に応じた投与手段（例えば、噴霧、刷毛や綿棒による塗布する手段）を適宜採用すればよい。
【００２４】
図１は、本発明の植物体用処理装置の一実施形態を示す図であって、図１Ａはその上面図、図１Ｂはその側面図、図１Ｃはその底面図、図１Ｄは後面図である。
【００２５】
同図において、本発明に係る植物体用処理装置１は、植物体の一部を挟む挟持手段２と、植物体に傷を付ける与傷手段３と、を有しており、付与された傷によって薬剤が植物体内部に取り込まれやすくなる。
【００２６】
挟持手段
ここで本発明の処理装置１に係る挟持手段２は、植物体の一部を支える受け部４をその先端部近傍に有する支持ハンドル５と、支持ハンドル５の受け部４で支えた植物体の一部を押圧して挟持する押圧部６をその先端部近傍に有する押圧アーム７と、支持ハンドル５と押圧アーム７とを開閉自在に係合する係合部８と、を具備している。
【００２７】
なお、支持ハンドル５と押圧アーム７とは、押圧アーム７の押圧部６の反対側の末端部（基部）近傍に対向する支持ハンドル５方向に延設の係合凸部材７ａが、支持ハンドル５の対向部（基部近傍）に設けた切欠部５ａに摺動可能に嵌合され、両者を係合部８でピン等を用いて開閉自在に係合されている。
【００２８】
挟持手段２における支持ハンドル５とこれに対向する押圧アーム７の長さ等については特に制限はなく、処理操作を考慮して適宜選択決定される。
【００２９】
また、支持ハンドル５及び押圧アーム７の材料は特に制限されないが、合成樹脂、例えば、ポリ塩化ビニル等が好適である。
【００３０】
係合部８は、上記のごとく、支持ハンドル５と押圧アーム７の基部近傍に設けられる。そして、係合部８を介した支持ハンドル５と押圧アーム７の開閉は、例えば、ばね等の弾性体１０の一端が支持ハンドル５の押圧アーム７との対向面の適宜位置に形成された凹部９ａに、その他端が押圧アーム７の支持ハンドル５との対向面に形成された凸部９ｂに装着されていて、握力等の外力で閉状態にするが、外力を解除すると、閉状態で支持ハンドル５と押圧アーム７の対向面で押圧、圧縮されていた弾性体１０の復元力で開状態（図１Ｂの鎖線）になる。
【００３１】
このようにして、本発明の処理装置１は、支持ハンドル５と押圧アーム７とは常時は開、与傷時は閉であり、また、支持ハンドル５と押圧アーム７との間に弾性体１０を介在させることにより、その開閉操作が容易になる。
【００３２】
本実施形態は、係合部８を介した支持ハンドル５と押圧アーム７との開閉を手動（把持）で行なうものである。勿論、この開閉を電動などによって自動で行なってもよく、こうすることにより、係合部を介した支持ハンドルと押圧アームの開閉をより容易に行うことが可能になる。
【００３３】
支持ハンドル５の先端部近傍の受け部５とこれに対向する、押圧アーム７の先端部近傍の押圧部６の形状は、特に限定されないが、例えば、円形状等、適宜の形状が採用される。
【００３４】
また、受け部４は硬質の平板でもよいが、例えば、後記のごとく、押圧部６に設けた与傷手段３として針ややすり等を用いることから、例えば、シリコンゴム製スポンジなどの弾性部材を、受け部４に設けた凹部に上面がやや突出するようにして装着すると、より効果的に植物体に傷を付けることができ、好適である。
【００３５】
なお、この場合には、受け部４の弾性部材を適宜交換、使い捨てとすることができる。
【００３６】
与傷手段
本発明の処理装置１は、与傷手段３を備えており、これによって、植物体に傷を付与することができる。
【００３７】
与傷手段３としては、植物の葉や茎に傷を付けることができるものであればよく、例えば、単数又は複数の針状などの先端に鋭利な突起を備えるもの等が挙げられ、針、やすり等を備えるものがその好適例として挙げられる。
【００３８】
具体的には、針としては、中空の針（注射針）、棒状の針、平板を切削加工してその表面に多数の針状突起が形成されたもの等が挙げられ、これらは台座に固定されたユニット等として用いられる。
【００３９】
やすりとしては、粗い突起を有する平板状の鬼目やすり等が挙げられ、同様にして台座に固定されたユニット等として使用される。
【００４０】
また、中空や棒状の針、ヤスリ等の材料としては、例えば、ステンレス鋼、硬質合成樹脂等が挙げられる。
【００４１】
本実施態様において、与傷手段３として、中空の針（注射針）３ａの基部側を円盤状の台座３ｂの中央部に設けられた穿孔に嵌入してユニットが形成され、このユニットが押圧部６に設けられた凹部に嵌合して装着されている。ここで、円盤状の台座の材質としては、例えば、テトラフルオロエチレン樹脂（ＰＴＦＥ）を例示することができる。
【００４２】
そして、台座３ｂの背面に回転可能に連結して設けられた、外周にねじ山を有する円柱状の高さ調節部材３ｃが台座３ｂの背面の押圧アーム７のねじ山を有する貫通孔に螺合されていて、この高さ調節部材３ｃを回転させることにより中空の針３ａの先端の位置が植物体の与傷に適するように調節される。
【００４３】
なお、中空の針３ａは、後記のごとく、受傷部近傍へ薬剤を送出するノズル１２を兼ねている。
【００４４】
また、図１Ｂでは、中空の針３ａは単数の１本で図示されているが、勿論、複数本とすることもできる。
【００４５】
さらに同図では、与傷手段３が中空の針３ａを備えるものであることから、押圧アーム７の押圧部６の一部に、安全上の観点から環状（ドーナツ状）の平板部材を設けるのが好ましいが、なくてもよい。
【００４６】
さらにまた、与傷手段３が、与傷時に水平方向に前後及び／又は左右等に変位する機構を有していると、植物体により確実に傷を与えることができるため好ましい。
【００４７】
一つの態様において与傷手段３は、与傷時に変位する機構を有していると、植物体に確実に傷を与えることができるため好ましい。変位機構として、与傷手段が針や角形突起部の場合、与傷時に針や角形突起部をその長さ方向に沿って上下運動させるようにしてもよい。また、与傷手段がやすりの場合、前後又は左右、或いは、それらを組み合わせた変位運動をさせるようにしてもよい。かかる変位機構は、開閉動作を利用して機械的に変位を行ってもよく、或いは、電動モータ等の駆動手段を利用して変位を行うようにしてもよい。
【００４８】
また、本発明における受け部と押圧部はお互いに交換可能であり、例えば、受け部にのみ与傷手段を設ける態様であってもよい。
【００４９】
薬剤の投与手段
本発明によれば植物体内に薬剤を取り込まれ易くすることができるが、植物体への薬剤の適用方法は特に制限されず、種々の方法によることができる。
【００５０】
一つの好ましい態様において、本発明の処理装置は、薬剤を植物体の受傷部近傍に送出して付着させる投与手段をさらに有しており、本発明によって、植物体に薬剤を付着させつつ、その薬剤を植物体内に取り込ませることができる。
【００５１】
この場合、薬剤の投与手段は、薬剤の収容容器と、これに連通し薬剤を受傷部近傍に送出するノズルと、薬剤の放出及びこの放出の停止をする開閉手段と、を備えていることが好ましい。また、薬剤を送出するノズルは、押圧部又は受け部の近傍に配置されるが、押圧部の近傍に配置されていると好適である。
【００５２】
図１に示す本発明の植物体用処理装置１は、与傷手段の他に、薬剤の収容容器（不図示）と、この収容容器に連通し薬剤を受傷部近傍に送出するノズルと、薬剤の送出及びこの送出の停止をする開閉手段とを備える投与手段をさらに有している。
【００５３】
同図において、処理装置１が薬剤の投与手段１１を備える場合、好ましい態様において、押圧アーム７が、薬剤を送出するノズル１２と、ノズル１２に連通しその上流が薬剤の収容容器（不図示）に連通するシリコンゴム等の弾性部材からなる貯留管１３と、開閉手段１４ａ、１４ｂと、をその胴体の空洞部１５に内蔵する。
【００５４】
なお、押圧アーム７は線Ｘ−Ｘに沿って２分割され、ねじ止めで合体されている。この２分割により、薬剤の収容容器（不図示）以外の投与手段１１の、押圧アーム７の空洞部１５への内蔵、投与手段の交換（着脱）、さらには、合成樹脂による押圧アーム７の成型等を容易にすることができる。
【００５５】
そして、この場合、貯留管１３は、貯留管１３の長さ方向の任意位置を開閉手段１４ａ、１４ｂで径方向に押圧して閉状態にしたときには薬剤がノズル１２から送出され、押圧を解除して開状態にしたときには、薬剤が収容容器から貯留管１３に供給される給排機構１６を有している。
【００５６】
給排機構１６において、弾性部材（材料例示：シリコンゴム）からなる、適宜の直径と長さを有する貯留管１３の上流側及び下流側のそれぞれの端部には液流が下流方向のダックビル式チェックバルブ（逆止弁）１７、１８が装着され、そして、逆止弁１７の下流側（給排機構１６の下流側）は弾性を有する管（材料例示：シリコンゴム管）等を介してノズル１２に、また、逆止弁１８の上流側は弾性を有する管（材料例示：シリコンゴム管）等を介して収容容器に連通して連結されている。
【００５７】
また、開閉手段１４ａ、１４ｂは、両逆止弁１７、１８の間の略中間位置に押圧部材（１４ａ）とストッパー（１４ｂ）とが貯留管１３を径方向に挟んで対向して配置されている。
【００５８】
そして、押圧部材（１４ａ）の基端部は支持ハンドル５方向に突出して押圧アーム７の取付穴に遊着されていて、挟持手段２（支持ハンドル５、押圧アーム７、係合部８）が閉状態に移行することによって、押圧部材（１４ａ）の基端部が支持ハンドル５に押されると同時にその先端部で貯留管１３が押圧されるように構成されている。図１Ｂは、開閉手段１４ａ、１４ｂによって、貯留管１３が押圧された状態を示す図である。
【００５９】
このようにして、挟持手段２が閉になると、与傷手段３で植物体に傷を付けると同時に、弾性部材からなる貯留管１３が押圧部材（１４ａ）とストッパー（１４ｂ）とで押圧されることにより、上流側の逆止弁１８は閉に、下流側の逆止弁１７は開になって、例えばシリコンゴム製の管などを介して薬剤がノズル１２の方向に送出されることになる。
【００６０】
すなわち、支持ハンドル５と押圧アーム７とを閉にする操作で植物体の一部を押圧する操作と植物体の受傷近傍に薬剤を送出する操作とが同時に行われることになる。
【００６１】
なお、ノズル１２については、上記のごとく、与傷手段３における中空の針３ａが兼用されるが、中空の針３ａ（ノズル１２）の基部側が嵌入されている台座３ｂの中央部の穿孔には、台座３ｂの側面からの穿孔が連通し、また、その側面の穿孔の開口部には給排機構１６の薬剤をノズル１２方向に送出する弾性を有する管等の下流側が嵌入されている。
【００６２】
そして、上記のごとく、ノズル１２（中空の針３ａ）の高さ位置を高さ調節部材３ｃで調節することにより、ノズル１２の先端を押圧アーム７の押圧部６や支持ハンドル５の受け部４の近傍に配置できる。
【００６３】
なお、本発明の薬剤の投与手段をさらに備える処理装置においては、本実施形態のごとく、与傷手段として単数又は複数の中空の針を備えるものが特に好適である。
【００６４】
次に、挟持手段２が開になると、貯留管１３の弾性部材の復元力により貯留管１３の押圧変形状態は復元し、この時、下流側の逆止弁１７は閉に、上流側の逆止弁１８は開になって、収容容器から薬剤が供給されることになる。
【００６５】
なお、薬剤の給排機構１６はノズル１２を含めて、上記のごとく、押圧アーム７の胴体の空洞部１５等から取外し、使い捨て等ができるように、空洞部１５内で脱着可能とされている。
【００６６】
また、貯留管１３の内容量は、特に限定されないが、例えば、１回の開閉操作（開閉手段１４ａ、１４ｂの１回の開閉）で、薬剤の必要量が送出される量が好ましい。
【００６７】
このようにして、本発明の処理装置において、薬剤の投与手段をさらに備えることにより、薬剤の使用量も適量になり、その無駄を生じない。
【００６８】
本発明の処理装置１を使用するに際しては、図１に示すごとく、支持ハンドル５を上側に、押圧アーム７を下側にして操作してもよく、また、図２に示すごとく、逆にして押圧アーム７を上側に、支持ハンドル５を下側にして操作してもよい。
【００６９】
なお、図３は、図１に示す処理装置を、図２とは上下を反転させ、異なる方向から見た場合の斜視図である。
【００７０】
図４は、本発明の他の実施形態の植物体用処理装置１０１における、支持ハンドル及び押圧アームの与傷手段、薬剤の投与手段のノズル等を含む先端部近傍を示す部分図である。
【００７１】
なお、本実施形態では、与傷手段として棒状の針を備えるユニット用い、薬液の投与手段におけるノズル１１２の先端を押圧アーム７の押圧部６の与傷手段の近傍に配置する以外は、図１Ｂに示したと実質的に同一である。
【００７２】
また、同図において、図１Ｂに示したと実質的に同一の部材、箇所には同一の符号を付し、その説明を省略する。
【００７３】
与傷手段
図４に示す態様おいて、与傷手段１０３として、複数本の棒状の針１０３ａを円盤状の台座１０３ｂ（材料例示：アクリル樹脂）に設けた穿孔に突き刺してユニット（針山状のユニット）が形成され、このユニットが押圧部６に設けた凹部に嵌合して装着されている。
【００７４】
そして、台座１０３ｂの背面に連結して設けられた、外周にねじ山を有する円柱状の高さ調節部材１０３ｃが台座１０３ｂの背面の押圧アーム７のねじ山を有する貫通孔に螺合されていて、この高さ調節部材１０３ｃを回転させることにより棒状の針１０３ａの先端の位置が植物体の与傷に適するように調節される。
【００７５】
なお、棒状の針１０３ａは単数の１本であってもよい。
【００７６】
ノズル
ノズル１１２（材料例示：ＰＴＦＥ樹脂）は、その先端が押圧アーム７の与傷手段１０３を備える押圧部６近傍に配置されていて、ノズル１１２には薬剤の給排機構の下流側が弾性を有する管（材料例示：シリコンゴム管）等を介して連通して連結されている。
【００７７】
なお、ノズル１１２の先端を支持ハンドル５の受け部４近傍に配置してもよい。
【００７８】
また、符号１１５は、押圧アーム７に設けられた給排機構等を内蔵する空洞部である。
【００７９】
このようにして、挟持手段が閉になると、図１に示した実施態様と同様にして、与傷手段１０３で植物体に傷を付けると同時に、弾性部材からなる貯留管が押圧部材とストッパーとで押圧されることにより、上流側の逆止弁１８は閉に、下流側の逆止弁１７は開になって薬剤は管（材料例示：シリコンゴム管）等を介してノズル１１２の方向に送出されることになる。
【００８０】
また、挟持手段が開になると、貯留管の弾性部材の復元力により貯留管の押圧変形状態は復元し、この時、下流側の逆止弁は閉に、上流側の逆止弁は開になって、収容容器から薬剤が供給されることになる。
【００８１】
なお、図５は、図４に示す処理装置の斜視図であり、図６は、図４に示す処理装置を、図５とは異なる方向から見た場合の斜視図である。
【００８２】
別の好ましい態様において、本発明の処理装置は、投与手段として、給排機構等に代えて、押圧部又は受け部の近傍に配置したノズルにチューブを介して収納容器に収容された薬剤を送出するための小型のポンプを押圧アームの適宜位置に有していてもよい。
【００８３】
なお、チューブやポンプなどの薬剤と接触する部材については、耐薬品性に優れた素材を採用すると好ましい。特に薬剤を収納する容器については、薬剤を長期間収容することもあるため、直射日光を通さない素材が好ましく、さらに、薬剤が温度により変性してしまう場合は、タンクなどの温度を一定に保つ保温手段を設けるのが好ましい。また、好ましい態様において、チューブは簡単に取り外しができて洗浄作業を容易とし、薬剤の交換を簡単かつ迅速にすることができる。
【００８４】
また、ポンプの種類は特に制限されず公知の小型のポンプを使用することができるが、例えば、シリンジポンプなどを好ましく利用できる。
【００８５】
さらに別の好ましい態様において、本発明の処理装置は、投与手段として、給排機構等に代えて、押圧部又は受け部の近傍に配置したノズルにチューブを介して、収容容器で加圧した薬剤を空気と共に送給して薬剤を噴霧することもできる。
【００８６】
そしてまた、挟持手段の開閉、与傷、薬剤の投与の操作の一部又は全部を電動で行ってもよい。例えば、処理装置の先端部の開閉を電動で行ってもよいし、また、チューブなどによってポンプと収納容器を接続すれば、ポンプの動作によって薬剤を植物体に適用することができる。
【００８７】
本発明はある観点からは、植物体に薬剤を取り込ませる方法に関する。すなわち、一つの態様において、本発明は、上述の処理装置における与傷の処理のみを行う処理装置を用いて植物体に傷を付けた後、別途に植物体の受傷部近傍に薬剤を投与することを含む、植物体の処理方法である。
【００８８】
また、本発明は、植物体の予定受傷部位近傍に薬剤を予め投与した後、上述の処理装置における与傷の処理のみを行う処理装置を用いて植物体に傷を付けることを含む、植物体の処理方法である。
【００８９】
さらに、本発明は、上述の処理装置における薬剤の投与手段をさらに備えた処理装置を用いて植物体に傷を付けると同時に、植物体の受傷近傍に薬剤を投与することを含む、植物体の処理方法である。
【００９０】
なお、本発明の植物体の処理方法における薬剤の投与には、塗布、散布、噴霧等が含まれる。
【００９１】
これらの本発明の植物体の処理方法によれば、傷を付けただけで薬剤が植物体に取り込まれやすくなるため、植物病の防除等に極めて有効である。
【符号の説明】
【００９２】
１：植物体用処理装置；
２：挟持手段；
３：与傷手段；３ａ：中空の針（注射針）；３ｂ：台座；３ｃ：高さ調節部材；
４：受け部；
５：支持ハンドル；５ａ：切欠部；
６：押圧部；
７：押圧アーム；７ａ：係合凸部材；
８：係合部；
９ａ：凹部；９ｂ：凸部
１０：弾性体；
１１：薬剤の投与手段；
１２：薬剤送出ノズル；
１３：貯留管１３；
１４ａ、１４ｂ：開閉手段；
１５：空洞部；
１６：給排機構；
１７、１８：チェックバルブ（逆止弁）
１０１：植物体用処理装置；
１０３：与傷手段；１０３ａ：針；１０３ｂ：台座；１０３ｃ：高さ調節部材；
１１２：ノズル；
１１５：空洞部
【図１】
2017093337.tif 000003
【図２】
2017093337.tif 000004
【図３】
2017093337.tif 000005
【図４】
2017093337.tif 000006
【図５】
2017093337.tif 000007
【図６】
2017093337.tif 000008